(57)【要約】【課題】  形状や大きさの異なる複数種類のブロックを組み合わせたブロック玩具とする場合、形状などの異なる各ブロックの成形製造に手数を要するのみでなく、どのような形状のブロックを組み合わせてブロック玩具のセットとするかなど、製品としてのブロックの組合せが困難となり、ブロックの形状の種類を少なくすると組み合わせて作る対象として形象物の形状変化が乏しくなるという欠点を排除する。【解決手段】  同一形状の円柱状とした突起部37の複数個を数ｍｍの間隔を隔てて直方体形状の基台31部の上面に有し、基台部31は下方に開口する直方体形状の内部空間を有して他のブロックの突起部37を収納可能とすると共に基台部31の側壁板33により他のブロックの円柱状をした突起部37を挟持可能としたブロック11の複数個を組み合わせる。【選択図】    図１
2010172568.tif 000002
【特許請求の範囲】
【請求項１】
同一形状の円柱状とした突起部の複数個を数ｍｍの間隔を隔てて直方体形状の基台部の上面に有し、基台部は下方に開口する直方体形状の内部空間を有して他のブロックの突起部を収納可能とすると共に基台部の側壁板により他のブロックの円柱状突起を挟持可能としたブロックの複数個を組み合わせたことを特徴とするブロック玩具。
【請求項２】
前記突起部の高さ及び直径の値は、突起部の中心相互間の距離の値よりも小さな数値の値とされていることを特徴とする請求項１に記載のブロック玩具。
【請求項３】
基台部は、その高さを前記円柱状とした突起部の中心間の間隔とした数ｍｍと等しく又は僅かに小さな数ｍｍとすると共に、基台部の縦及び横の幅を前記突起部の中心間の間隔とした数ｍｍの整数倍に略等しい直方体形状とすることを特徴とする請求項１又は請求項２に記載のブロック玩具。
【請求項４】
前記基台部の上面に設けられる突起部の個数が異なるブロックを組み合わせたことを特徴とする請求項１乃至請求項３の何れかに記載のブロック玩具。
【請求項５】
前記基台部の内部空間に薄板状とされた２枚の補助壁を平行に有し、基台部の側壁板と補助壁により他のブロックの突起部を挟持するブロックを含むことを特徴とする請求項１乃至請求項４の何れかに記載のブロック玩具。
【請求項６】
単一の円柱状突起を有してこの円柱状突起よりも僅かに大きな基台部であって下方に開口する内部空間を有してこの内部空間に他のブロックの円柱状突起の一つを嵌合可能とする補助ブロックと、前記複数個の円柱状突起を有するブロックとを組み合わせたことを特徴とする請求項１乃至請求項５の何れかに記載のブロック玩具。
【発明の詳細な説明】
【技術分野】
【０００１】
本発明は、所定間隔に設ける突起の個数が異なるブロックを用いて種々の形象物を組立可能とするブロック玩具に関するものです。
【背景技術】
【０００２】
今日、突起部と受孔を備えた形状の異なる多数のブロックを用い、各ブロックの突起部を他のブロックの受孔に挿入嵌合してブロック相互を結合し、種々の形状として特定の形象物の外観に似せるようにして遊ぶブロック玩具が提供されている。
【０００３】
このブロック玩具では、厚みの異なる立方体形状のブロックや円柱形状、半円柱形状などの形状の異なる複数種の形状のブロックを組み合わせるもの（例えば特許文献１）や複数の孔とこの孔に貫通するように嵌合させることのできる棒状体を組み合わせるもの（例えば特許文献２）などがある。
【０００４】
そして、このような従来のブロック玩具は、各ブロックの大きさとして最も短い辺や径の長さが１ｃｍ乃至数ｃｍと大きく、多数のブロックを組み合わせて種々の形象物の形状に似せる場合、同一形状のブロックのみでは形象物の凹凸や湾曲に似せることが難しく、ブロックとして同一形状にして大きさの異なるブロックやブロックそのものの形状が全く異なるブロックなどの種々の形状の異なるブロックを組み合わせたブロック玩具として色々な形象物の形状に組み立てることを可能としていた。
【先行技術文献】
【特許文献】
【０００５】
【特許文献１】特開２００７−８２６４７
【特許文献２】特開２００５−５８４３７
【発明の概要】
【発明が解決しようとする課題】
【０００６】
前述のように、形状や大きさの異なる複数種類のブロックを組み合わせたブロック玩具とする場合、形状などの異なる各ブロックの成形製造に手数を要するのみでなく、どのような形状のブロックを組み合わせてブロック玩具のセットとするかなど、製品としてのブロックの組合せが困難となり、ブロックの形状の種類を少なくすると組み合わせて作る対象として形象物の形状変化が乏しくなるという欠点があった。
【０００７】
本発明は、この様な問題点を解決するため、単位長さを数ｍｍとする小さなブロックで形状の異なる複数種類のブロックを組合せ、種々の形象物の精密な形状に組み立てることのできるブロック玩具を提供するものです。
【課題を解決するための手段】
【０００８】
本発明に係るブロック玩具は、同一形状の円柱状とした突起部の複数個を数ｍｍの間隔を隔てて直方体形状の基台部の上面に有し、基台部は下方に開口する直方体形状の内部空間を有して他のブロックの突起部を収納可能とすると共に基台部の側壁板により他のブロックの円柱状をした突起部を挟持可能としたブロックの複数個を組み合わせるものです。
【０００９】
そして、このブロック玩具のブロックにおける各突起部の高さ及び直径の値は、隣接する突起部の中心相互間の間隔の値よりも小さいな値とするものです。
【００１０】
又、このブロック玩具のブロックにおける基台部は、その高さを前記円柱状とした突起部の中心間隔とした数ｍｍと等しく又は僅かに小さな数ｍｍとすると共に、縦及び横を前記円柱状突起の間隔とした数ｍｍの１倍を含む整数倍に略等しい直方体形状とするものです。
【００１１】
又、このブロック玩具は、基台部の上面に設けられる突起部の個数が異なるブロックを組み合わせるものです。
【００１２】
更に、このブロック玩具のブロックは、基台部の内部空間に薄板状とされた２枚の補助壁を平行に有し、基台部の側壁板と補助壁により他のブロックの円柱状の突起部を挟持するブロックを含むものです。
【００１３】
そして、単一の円柱状突起を有してこの円柱状突起よりも僅かに大きな基台部であって下方に開口する内部空間を有してこの内部空間に他のブロックの円柱状突起の一つを嵌合可能とする補助ブロックと、前記複数個の円柱状突起を有するブロックとを組み合わせることもあるものです。
【発明の効果】
【００１４】
本発明は、直方体の基台部の上面に円柱状とした突起部の複数個を有するブロックを組合せるブロック玩具としているため、単純な形状のブロックの組合せとすることができ、且つ、円柱状の突起部の間隔を数ｍｍとする小さなブロックであるため、このブロックの多数個を結合して精密な形象物の形状に組み立てることができるものであり、基台部の内部空間を直方体形状としているため、小さなブロックの成形製造を容易に可能とするものです。
【００１５】
そして、円柱状の突起部は、その高さや直径が突起部の中心相互間距離よりも小さな同一形状であるため、基台部の形状のみが異なる小さなブロックの組合せとすることができるものです。
【００１６】
又、各ブロックの基台部を円柱状とした突起部の間隔と等しい高さ又は僅かに低い高さとし、この基台部の縦横の幅は円柱状突起の間隔の整数倍とするため、直方体を基準とした複数種の小さなブロックの組合せとしてブロックの組合せを容易に行うことができるものです。
【００１７】
そして、円柱状突起部の個数が異なるブロックを組み合わせることにより、種々の形状に組立てることを容易に行うことができるものです。
【００１８】
更に、基台部の内部空間に薄板状の補助壁を平行に設けたブロックは、補助壁と基台部の側壁板との間に他のブロックの円柱状突起を挟持するに際し、補助壁が容易に弾性変形して他のブロックの円柱状突起の挿入を容易とすると共に円柱状突起を確実に挟持することができるものです。
【００１９】
又、単一の円柱状とした突起部を有する補助ブロックを組み合わせると、形象物を組み立てるに際し、細部の形状修正を容易に行うことができることになる。
【図面の簡単な説明】
【００２０】
【図１】本発明に係るブロック玩具の第１ブロックを示す図。
【図２】本発明に係るブロック玩具の第２ブロックを示す図。
【図３】本発明に係るブロック玩具の第３ブロックを示す図。
【図４】本発明に係るブロック玩具の第４ブロックを示す図。
【図５】本発明に係るブロック玩具の第５ブロックを示す図。
【図６】本発明に係るブロック玩具に用いる補助円柱ブロックを示す図。
【図７】本発明に係るブロック玩具に用いる補助角柱ブロックを示す図。
【図８】本発明に係るブロック玩具のブロックに類似のブロックを用いて組み立てた形象物の一例を示す図。
【図９】本発明に係るブロック玩具のブロックを用いて組み立てた形象物の一例を示す図。
【図１０】本発明に係るブロック玩具のブロックを用いて組み立てた形象物の一例を示す図。
【発明を実施するための形態】
【００２１】
本発明に係るブロック玩具を実施する形態は、複数個の円柱形状の突起部37を４ｍｍなどの数ｍｍ間隔で上面に有する直方体形状の基台部31を備え、突起部37の高さは突起部37相互間の中心距離よりも小さい値としたブロックの複数個を組み合わせるものです。
【００２２】
そして、この基台部31は、その高さを３ｍｍ程度と前記の突起部37相互間の中心距離よりも僅かに小さい値とすると共に、縦及び横は突起部37の間隔の整数倍である１倍又は２倍、更には４倍や８倍とするものです。
【００２３】
又、ブロック玩具とする各ブロックは、２個又は４個や８個などの突起部37の個数が異なるブロックを組み合わせるものであって、突起部37を一列又は二列に配置するように有し、基台部31は下方に開口する直方体形状の内部空間を有し、この内部空間に挿入される他のブロックの突起部37を基台部31の側壁板により挟持することを可能とするものであって、突起部37を二列に有するブロックでは、内部空間に２枚の補助壁34を有し、側壁板と補助壁34により他のブロックの突起部37を挟持することができるようにするものです。
【００２４】
更に、複数個の突起部37を有するブロックと、単一の突起部37を有してこの突起部37よりも僅かに大きな円柱形状又は角柱形状とする補助ブロックとを組み合わせるようにするものです。
【実施例】
【００２５】
本発明に係るブロック玩具は、図１に示すように２個の円柱状突起を有する第１ブロック11、図２に示すように４個の円柱状突起を縦横に配置するように有する第２部ブロック12、図３に示すように４個の円柱状突起を一列に配置するように有する第３部ブロック1、図４に示すように８個の円柱状突起を二列に配置するように有する第４ブロック14、図５に示すように１６個の円柱状突起を二列に配置するように有する第５ブロック15のように複数個の円柱状突起を立方体形状の本体の上面に有するブロックと、図６に示すように円柱状の本体の上面に１個の円柱状突起を有する補助円柱ブロック18及び図７に示すように角柱状の本体の上面に１個の円柱状突起を有する補助角柱ブロック19とする合成樹脂製のブロックを組み合わせるものです。
【００２６】
この円柱状の突起である突起部37は、全てが直径を約２．５ｍｍ、高さを約１．７ｍｍとする円柱形状であり、僅かなテーパーを有して先端を細く（先端外径２．５０ｍｍ）するようにして基部を先端よりも僅かに太く（基部外径２．５２ｍｍ）し、本体である基台部31の上面を形成する基台上面板32から突出するように形成され、突起部37相互の中心間距離を４ｍｍとしているものです。
【００２７】
又、第１ブロック11の基台部31は、高さを突起部37相互の中心間距離よりも小さな３．０５ｍｍとし、長辺の長さを突起部37の中心相互間の距離の２倍よりも極めて僅かに小さい７．９０ｍｍ、短辺の長さを突起部37の中心相互間の距離に略等しく且つ極めて僅かに小さい３．９０ｍｍとする立方体形状であって、図１（Ｂ）に示すように、基台部31及び突起部37の肉厚を約０．７ｍｍとして基台部31及び突起部37の内部を中空として基台部31の下面を開口しているものです。
【００２８】
そして、基台上面板32の四辺から垂下する基台側壁板33により囲まれた基台部31の内部空間は、高さを２．３５ｍｍ、長辺の長さを６．６０ｍｍ、短辺の長さを２．４６ｍｍとするものです。
【００２９】
又、第２部ブロック12は、図２（Ａ）に示すように、正方形の基台上面板32から４個の突起部37が突出するように設けられており、この突起部37は第１ブロック11の突起部37と同一形状同一大きさとされた僅かにテーパーを有する円柱形状であって、この４個の突起部37は、縦横両方向において相互に隣接する突起部37の中心相互間の距離を４．０ｍｍとするものです。
【００３０】
そして、基台部31はその縦横両方向の長さを突起部37の中心相互間の距離の２倍に略等しく且つ２倍よりも極めて僅かに小さい７．９０ｍｍとし、高さを突起部37相互の中心間距離よりも小さな３．０５ｍｍとする直方体形状とされ、図２（Ｂ）に示すように、基台部31及び突起部37の肉厚を約０．７ｍｍとして基台部31及び突起部37の内部を中空として基台部31の下面を開口しているものです。
【００３１】
更に、基台上面板32の四辺から垂下する基台側壁板33により囲まれた基台部31の内部空間は、高さを２．３５ｍｍ、一辺（縦）の長さを６．６０ｍｍ、他の一辺（横）の長さを６．５４ｍｍとして略６．６ｍｍの正方形とし、この内部空間には基台上面板32の下面から縦方向に平行に２枚の補助壁34を垂下させるものであって、この補助壁34は、横方向の中央に位置して横方向に対称とされ、２枚の補助壁34の沿い側面相互間の距離を１．６０ｍｍとして、この補助壁34と基台側壁板33の内側面までの距離を２．４７ｍｍとしているものです。
【００３２】
そして、第３ブロック13は、図３（Ａ）に示すように、一列に配置された４個の突起部37が突出するように設けられており、この突起部37は第１ブロック11の突起部37と同一形状同一大きさとされた僅かにテーパーを有する円柱形状であって、この４個の突起部37は、相互に隣接する突起部37の中心相互間の距離を４．０ｍｍとするものです。
【００３３】
又、基台部31はその高さを３．０５ｍｍ、長辺の長さを突起部37の中心相互間の距離の４倍に略等しく且つ４倍よりも極めて僅かに小さな１５．９０ｍｍ、短辺の長さを突起部37の中心相互間の距離の１倍に略等しく且つ極めて僅かに小さい３．９０ｍｍとする立方体形状であって、図３（Ｂ）に示すように、基台部31及び突起部37の肉厚を約０．７ｍｍとして基台部31及び突起部37の内部を中空として基台部31の下面を開口しているものです。
【００３４】
更に、基台上面板32の四辺から垂下する基台側壁板33により囲まれた基台部31の内部空間は、高さを２．３５ｍｍ、長辺の長さを１４．６０ｍｍ、短辺の長さを２．４６ｍｍとするものです。
【００３５】
そして、第４ブロック14は、図４（Ａ）に示すように、二列に配置された８個の突起部37（一列に４個）が突出するように設けられており、この突起部37は第１ブロック11の突起部37と同一形状同一大きさとされた僅かにテーパーを有する円柱形状であって、この一列に配置された４個の突起部37における相互に隣接する突起部37の中心相互間の距離、及び、列と列との間の突起部37の中心間距離を４．０ｍｍとするものです。
【００３６】
又、基台部31はその高さを３．０５ｍｍ、長辺の長さを突起部37の中心相互間の距離の４倍に略等しく且つ４倍よりも極めて僅かに小さな１５．９０ｍｍ、短辺の長さを突起部37の中心相互間の距離の２倍に略等しく且つ２倍よりも極めて僅かに小さな７．９０ｍｍとする立方体形状であって、図４（Ｂ）に示すように、基台部31及び突起部37の肉厚を約０．７ｍｍとして基台部31及び突起部37の内部を中空として基台部31の下面を開口しているものです。
【００３７】
更に、基台上面板32の四辺から垂下する基台側壁板33により囲まれた基台部31の内部空間は、高さを２．３５ｍｍ、長辺（縦）の長さを１４．６０ｍｍ、短辺（横）の長さを６．５４ｍｍとし、この内部空間には基台上面板32の下面から縦方向に平行に２枚の補助壁34を垂下させるものであって、この補助壁34は、横方向の中央に位置して横方向に対称とされ、２枚の補助壁34の沿い側面相互間の距離を１．６０ｍｍとして、この補助壁34と長辺となる基台側壁板33の内側面までの距離を２．４７ｍｍとしているものです。
【００３８】
そして、第５ブロック15は、図５（Ａ）に示すように、二列に配置された１６個の突起部37（一列に８個）が突出するように設けられており、この突起部37は第１ブロック11の突起部37と同一形状同一大きさとされた僅かにテーパーを有する円柱形状であって、この一列に配置された８個の突起部37における相互に隣接する突起部37の中心相互間の距離、及び、列と列との間の突起部37の中心間距離を４．０ｍｍとするものです。
【００３９】
又、基台部31はその高さを３．０５ｍｍ、長辺の長さを突起部37の中心相互間の距離の８倍に略等しく且つ８倍よりも極めて僅かに小さい３１．９０ｍｍ、短辺の長さを突起部37の中心相互間の距離の２倍に略等しく且つ２倍よりも極めて僅かに小さい７．９０ｍｍとする立方体形状であって、図５（Ｂ）に示すように、基台部31及び突起部37の肉厚を約０．７ｍｍとして基台部31及び突起部37の内部を中空として基台部31の下面を開口しているものです。
【００４０】
更に、基台上面板32の四辺から垂下する基台側壁板33により囲まれた基台部31の内部空間は、高さを２．３５ｍｍ、長辺（縦）の長さを３０．６０ｍｍ、短辺（横）の長さを６．５４ｍｍとし、この内部空間には基台上面板32の下面から縦方向に平行に２枚の補助壁34を垂下させるものであって、この補助壁34は、横方向の中央に位置して横方向に対称とされ、２枚の補助壁34の沿い側面相互間の距離を１．６０ｍｍとして、この補助壁34と長辺となる基台側壁板33の内側面までの距離を２．４７ｍｍとしているものです。
【００４１】
そして、本体である基台部31を円柱状とする補助ブロックである補助円柱ブロック18は、その基台部31の高さを３．０５ｍｍ、基台部31の外径を３．９０ｍｍとする円柱形状であって、この基台部31の上面に配置された１個の突起部37は第１ブロック11の突起部37と同地形状同一大きさとされた僅かにテーパーを有する円柱形状です。
【００４２】
又、図６（Ｂ）に示すように、この補助円柱ブロック18も基台部31及び突起部37の肉厚を約０．７ｍｍとして基台部31及び突起部37の内部を中空として基台部31の下面を開口し、基台上面板32の周囲から垂下する基台側壁板33により囲まれた基台部31の内部空間は、高さを２．３５ｍｍとし、内径を約２．５ｍｍの円形（２．５０ｍｍと２．５２ｍｍの僅かな長円）とするものです。
【００４３】
更に、本体である基台部31を角柱状とする補助ブロックである補助角柱ブロック19は、その基台部31の高さを３．０５ｍｍ、縦横両辺の長さを３．９０ｍｍとする正方形の立方体形状であって、この基台部31の上面に配置された１個の突起部37は第１ブロック11の突起部37と同地形状同一大きさとされた僅かにテーパーを有する円柱形状です。
【００４４】
そして、図７（Ｂ）に示すように、基台部31及び突起部37の肉厚を約０．７ｍｍとして基台部31及び突起部37の内部を中空として基台部31の下面を開口させて、基台上面板32の四辺から垂下する基台側壁板33により囲まれた基台部31の内部空間は、高さを２．３５ｍｍ、縦横両辺の長さを２．５０ｍｍとするものです。
【００４５】
このように、本実施例に係るブロック玩具の各ブロックは、基本的間隔単位を４．０ｍｍとし、突起部37はその高さを約２ｍｍ弱とすると共に直径を約２．５ｍｍとして基本的間隔単位よりも小さくし、又、基台部31の高さを約３ｍｍとして直方体形状の基台部31の上面に複数個の突起部37を有して基台部31の縦横の幅を基本的間隔単位の１倍を含む略整数倍とし、更に基台部31は下面に開口する中空部を有して基台側壁板33又は基台側壁板33と補助壁34により中空部に挿入される他のブロックの突起部37を挟持可能とするものです。
【００４６】
又、突起部37は、その直径を約２．５ｍｍとして全て同一としつつ、突起部37の先端を突起部37の基部よりも極めて僅かに細くしてテーパーを設けているため、他のブロックにおける基台部31の内部空間への挿入を容易としつつ、基台部側壁板33などにより確実に挟持させることができるものです。
【００４７】
更に、基台部31の内部空間を直方体形状とし、突起部を一列に有するブロックでは内部空間の幅を突起部37の直径よりも僅かに狭くしているため、単一の内部空間としてブロックの形状を単純化し、微小なブロックの製造を容易に可能としているものです。
【００４８】
そして、突起部37を二列に有するブロックでは、中央に補助壁34を設けて他のブロックの突起部37を基台側壁板33との間に挟持することができるようにすると共に、補助壁34を薄い板状体として平行に２枚設けているため、各補助壁34の弾性変形を容易とし、小さなブロックの突起部37を容易に挿入できると共に確実に突起部37を挟持することができるものです。
【００４９】
このため、小さなブロック相互を容易且つ確実に結合することができ、従来の長さが１ｃｍ乃至数ｃｍのブロックを組み合わせて卓上に置ける大きさの形象物41を作成した場合は図８に示すように詳細な凹凸を表現することが不可能であったのに対し、図９に示すように、本実施例の基本的間隔単位を数ｍｍと小さくしたブロックでは、形象物43の形状を精密に表現して楽しく遊ぶことができるものです。
【００５０】
又、図１０に示すように、従来のブロックと同一個数のブロックで形象物45を組み立てれば、手に持ちやすい極めて小さな可愛げのあるミニチュア的な形象物とすることができるものです。
【符号の説明】
【００５１】
１１  第１ブロック                      １２  第２ブロック
１３  第３ブロック                      １４  第４ブロック
１５  第５ブロック
１８  補助円柱ブロック                  １９  補助角柱ブロック
３１  基台部                            ３２  基台上面板
３３  基台側壁板                        ３４  補助壁
３７  突起部
４１、４３、４５  形象物
【図１】
2010172568.tif 000003
【図２】
2010172568.tif 000004
【図３】
2010172568.tif 000005
【図４】
2010172568.tif 000006
【図５】
2010172568.tif 000007
【図６】
2010172568.tif 000008
【図７】
2010172568.tif 000009
【図８】
2010172568.tif 000010
【図９】
2010172568.tif 000011
【図１０】
2010172568.tif 000012